(57)【要約】【課題】乾燥性能を向上させた流し台シンク一体型生ごみ処理機を提供する。【解決手段】シンク４を有する流し台１と、前記流し台１に一体的に組み込まれた生ごみ処理機９から構成された流し台シンク一体型生ごみ処理機において、前記シンク４の後方天面に配設されると共に、生ごみを収納し、乾燥処理する内容器１３と、前記内容器１３の下方を加熱する発熱ヒータ３０を設けたもので、縦長内容器１３における上部からの吹きつけ乾燥温風の不足を補う加熱作用が得られ、乾燥処理時間の短縮が図れる。【選択図】図２
2010142673.tif 000002
【特許請求の範囲】
【請求項１】
シンクを有する流し台と、前記流し台に一体的に組み込まれた生ごみ処理機から構成された流し台シンク一体型生ごみ処理機において、前記シンクの後方天面に配設されると共に、生ごみを収納し、乾燥処理する内容器を備え、前記内容器の開口部を含む上部を角柱形状とし、その下部を円筒形状に形成した流し台シンク一体型生ごみ処理機。
【請求項２】
内容器の上方から温風を供給する温風発生手段と、内容器の下方を加熱する加熱手段を設けたことを特徴とする請求項１に記載の流し台シンク一体型生ごみ処理機。
【請求項３】
内容器下部の円筒形状部に加熱手段を設けた請求項２に記載の流し台シンク一体型生ごみ処理機。
【請求項４】
内容器の底部に投入された生ごみを攪拌する攪拌手段を設け、前記内容器の円筒形状部の高さを、前記攪拌手段の高さと略同じ若しくはそれ以上に設定した請求項１〜３のいずれか１項に記載の流し台シンク一体型生ごみ処理機。
【請求項５】
内容器上部の角柱形状部と下部の円筒形状部との境界部に、形状変化を序変させるための傾斜部を設けた請求項１〜４のいずれか１項に記載の流し台シンク一体型生ごみ処理機。
【発明の詳細な説明】
【技術分野】
【０００１】
本発明は、生ごみ処理機が流し台シンクに一体化された流し台シンク一体型生ごみ処理機に関するもので、特に、生ごみ処理機部分の内容器に関するものである。
【背景技術】
【０００２】
従来この種の流し台シンク一体型生ごみ処理機として、流し台シンクの側方に生ごみ処理機を備えたものがある（例えば、特許文献１参照）。しかしながら、シンクの側方に設けると大きなスペースを必要とするため、対策として、流し台シンクの後方のスペースを有効に利用する構成が考えられる。但し、流し台シンク後方の天板面に配設するため、限られた小さなスペースでの構成が要求されると共に、ごみ投入時の使い勝手においても、上部開口部寸法が最低限□１５０ｍｍ×１００ｍｍが要求されるものとなっている。これら制約された条件の中、生ごみの処理容量においても最低一日分の処理能力を確保しなければならず、容器形状の下方延長に伴う縦長構成が必須となっていた。
【０００３】
このような従来の流し台シンク一体型生ごみ処理機について、図６および図７を用いて説明する。
【０００４】
図６（ａ）は、従来の流し台シンク一体型生ごみ処理機の外観斜視図、図６（ｂ）は、同流し台シンク一体型生ごみ処理機の要部斜視図、図７（ａ）は、同流し台シンク一体型生ごみ処理機の要部断面図、図７（ｂ）は、同流し台シンク一体型生ごみ処理機の内容器の斜視図である。
【０００５】
図６、７において、６１は流し台シンク６０の後方の天板面６２に配設された蓋部であり、６３は、その直下に配設された内容器である。内容器６３の内部下面には、生ごみの攪拌を行うための攪拌手段７０が設けられている。６４は、内容器６３を収納するとともに、流し台シンク６０天板面６２と連結する外郭容器であり、乾燥風発生手段６５ならびに脱臭手段６６を保持した構成としている。
【０００６】
特に、前記外郭容器６４の上部には、乾燥風発生手段６５より発生させた乾燥風の噴出口６７を設けるとともに、その対面には脱臭手段６６に連結され吸引する吸引口６８を設けた構成としている。これは前記内容器６４を介して乾燥風経路を形成するものであり、上部より乾燥風を吹きつけ、発生した水蒸気を脱臭手段６６で吸引し、外部に排気する構成となっている。また、６９は、前記内容器６３に設けた攪拌手段７０を回転駆動するための攪拌モーターであり、外郭容器６４の底面より駆動軸６９ａを貫通させて取り付けられている。
【０００７】
次に、図７を用いて内容器６３の構成を説明する。
【０００８】
内容器６３は、内容器本体７１と、内容器本体７１の上部に形成された□１５０ｍｍ×１００ｍｍの寸法形状とした角型開口部７５と、下方に約２５０ｍｍ延長して形成された縦長の角柱体容器７６から構成されている。内容器６３の内部下方に投入された生ごみを攪拌する攪拌手段７０は、回転軸７０ａに、攪拌刃７０ｂを取り付けて構成されている。
【特許文献１】特許第３６７６７９６号公報
【発明の開示】
【発明が解決しようとする課題】
【０００９】
しかしながら前記従来の流し台シンク一体型生ごみ処理機の構成では、内容器６３を縦長に構成することにより、上部より吹きつける乾燥温風が内容器６３の下部まで届かず、処理温度の低下により、乾燥時間が長くなるといった課題があった。また、縦長の角柱体容器７６に回転式の攪拌手段７０を設けたことにより、円形軌跡で旋回する攪拌作用に対し、その作用を受けない角柱体容器７６の角部に生ごみのこびりつきが発生した。これは攪拌効率の悪化を招き、また内容器６３からの乾燥ごみの取り出しに伴う作業性の悪化をもたらすものとなっていた。
【００１０】
本発明は、前記従来の課題を解決するもので、乾燥性能及び作業性を向上させた流し台シンク一体型生ごみ処理機を提供することを目的とする。
【課題を解決するための手段】
【００１１】
前記従来の課題を解決するために、本発明の流し台シンク一体型生ごみ処理機は、シンクを有する流し台と、前記流し台に一体的に組み込まれた生ごみ処理機から構成された流し台シンク一体型生ごみ処理機において、前記シンクの後方天面に配設されると共に、生ごみを収納し、乾燥処理する内容器を備え、前記内容器の開口部を含む上部を角柱形状とし、その下部を円筒形状に形成したもので、縦長内容器の攪拌部に生じていた撹拌不可となる角部の排除により生ごみのこびりつきを防止して、乾燥性能の向上並びに投入生ごみの攪拌効率を向上させることができる。
【発明の効果】
【００１２】
本発明の流し台シンク一体型生ごみ処理機は、攪拌部に生じていた撹拌不可となる角部の排除により生ごみのこびりつきを防止して、乾燥性能の向上並びに投入生ごみの攪拌効率を向上させることができる。
【発明を実施するための最良の形態】
【００１３】
第１の発明は、シンクを有する流し台と、前記流し台に一体的に組み込まれた生ごみ処理機から構成された流し台シンク一体型生ごみ処理機において、前記シンクの後方天面に配設されると共に、生ごみを収納し、乾燥処理する内容器を備え、前記内容器の開口部を含む上部を角柱形状とし、その下部を円筒形状に形成したもので、攪拌部分に生じていた撹拌不可となる角部が内容器に無いので、生ごみの堆積によるこびりつきを防止し、さらに、攪拌効率の向上により乾燥性能の改善が図られる。
【００１４】
第２の発明は、特に、第１の発明において、内容器の上方から温風を供給する温風発生手段と、内容器の下方を加熱する加熱手段を設けたもので、縦長内容器における上部からの吹きつけ乾燥温風の不足を補う加熱作用が得られ、乾燥処理時間の短縮が図れる。
【００１５】
第３の発明は、特に、第２の発明の内容器下部の円筒形状部に加熱手段を設けたもので、縦長内容器における上部からの吹きつけ乾燥温風の不足を補う加熱作用が得られるとともに、攪拌部に形成していた撹拌不可となる角部の排除により、生ごみのこびりつきが確実に防止できる。
【００１６】
第４の発明は、特に、第１〜３のいずれか１つの発明の内容器の底部に投入された生ごみを攪拌する攪拌手段を設け、前記内容器の円筒形状部の高さを、前記攪拌手段の高さと略同じ若しくはそれ以上に設定したもので、攪拌手段の全周が円筒形状なので、生ごみの堆積によるこびりつきの発生をより確実に防止することができる。
【００１７】
第５の発明は、特に、第１〜４のいずれか一つの発明の内容器上部の角柱形状部と下部の円筒形状部との境界部に、形状変化を序変させるための傾斜部を設けたもので、形状変化に伴う急な段差部が排除され、上部より投入された生ごみの落下移動にひっかかりを生じず、投入された生ごみ全てに攪拌作用を与えることが可能となり、結果攪拌効率の向上が図られる。
【００１８】
以下、本発明の実施の形態について、図面を参照しながら説明する。なお、この実施の形態によって本発明が限定されるものではない。
【００１９】
（実施の形態１）
図１（ａ）は、本発明の第１の実施の形態における流し台シンク一体型生ごみ処理機の外観斜視図、図１（ｂ）は、同流し台シンク一体型生ごみ処理機の要部斜視図、図２は、同流し台シンク一体型生ごみ処理機の要部断面図、図３は、同流し台シンク一体型生ごみ処理機の内容器の取り付け部の断面図である。
【００２０】
図１において、本実施の形態における流し台シンク一体型生ごみ処理機は、下方を収納庫とし、上部に排水口２並びに上水道の蛇口３を設けてなるシンク４を備え付けた流し台１と、流し台１に一体的に組み込まれた生ごみ処理機９から構成されている。
【００２１】
シンク４の天面５には、生ごみの投入を可能とさせた開口部６を形成し、乾燥手段を有した生ごみ処理機９をその下部に配設させている。７は、前記生ごみの投入を行うための開口部６を閉鎖する投入口蓋であり、回動軸８を介して流し台１の後方方向に倒立開閉自在に設けられている。
【００２２】
次に図２並びに図３を用いて、生ごみ処理機９の構成の詳細を説明する。
【００２３】
１０は、流し台１のシンク４内に設けられた外容器であり、縦長の容器体で構成され、その上部上端にはフランジ部１１を形成している。前記外容器１０は、シンク４の上部よりシンク４の天面５に設けた開口部６へ挿入取り付けを行うもので、挿入後、前記フランジ部１１にて淵部１２を構成する。
【００２４】
特に外容器１０のフランジ部１１の設置構成においては、天面５に設けた開口部６の全周に設けた低段差部５１に設置させる構成とし、取り付けたフランジ部１１は天面５と同一面となるようにしている。また、下部には、その内部に収納する後述の内容器１３に設けた攪拌刃１６を駆動連結させるための連結軸１５を配設させている。
【００２５】
３０は、内容器１３の側面に配置された板状の発熱ヒータであり加熱手段を構成するものである。なお、発熱ヒータ３０を外容器１０の外周に巻きつけて加熱手段を構成し、外容器１０の下方外郭を加熱して間接的に加熱することも可能である。
【００２６】
１３は、前記外容器１０内に着脱自在に収納装着される内容器であり、シンク４の上方より投入された生ごみの収納並びに乾燥内容器として設けてられている。
【００２７】
この内容器１３は、外容器１０と同様略円筒状の容器状に形成され、その上部には外容器１０から取り外した際、その持ち運びをサポートするハンドル５２が回動軸１４により回動自在に取り付けられている。また、内容器１３の内部下方には、投入された生ごみを攪拌するための攪拌手段となる攪拌刃１６を固定した回転軸１７が回転自在に取り付けられており、回転軸１７は、外容器１０の下端に突出した連結軸１５に、連結部１８を介して嵌合連結するようになっている。
【００２８】
次に１９は、前記外容器１０の外郭フレームとした外容器フレームであり、側面に温風発生手段２０並びに脱臭排気手段２１が配設され、その下方には、前記内容器１３に設けた攪拌刃１６に回転を与えるための駆動モーター２２を具備すると共に、流し台１内部で、外容器１０を固定ねじによる締結部２３により固定されている。
【００２９】
前記温風発生手段２０には、空気を加熱する熱源ヒータ３１並びに加熱された空気を送出する送風機３２を設けると共に、上部送風経路２９に連結される送風パイプ３３を具備し、前記脱臭排気手段２１には、前記加熱作用で発生した水蒸気を凝縮する凝縮装置３５並びに、脱臭触媒３６を有し、外容器１０並びに内容器１３の側壁に設けられ互いに連通する連通穴部３４を含む経路３７により、流し台１の下方外部に排気する構成としている。
【００３０】
また、前記投入口蓋７は、概略的に、上部外郭を形成する蓋上２７と、閉鎖時のタイトを行うパッキン４０を有する蓋下２８とで構成され、前記両部材の間に、前記温風発生手段２０からの送風パイプ３３が連結された上部送風経路２９が形成されると共に、蓋下２８に噴出し口４１を設けている。また、投入口蓋７の開閉を感知する手段が、蓋下２８と外容器１０のフランジ部１１のそれぞれに設けられた磁石スイッチ３９で構成され、その開閉感知により生ごみ処理機９の運転のオンオフ制御を行うものとしている。
【００３１】
以上のように構成された本実施の形態における流し台シンク一体型生ごみ処理機の動作、作用を、以下に説明する。
【００３２】
生ごみを投入した内容器１３を外容器１０内に入れ、投入口蓋７を閉じて、生ごみ処理機９の運転を開始すると、内容器１３内の生ごみが攪拌刃１６で攪拌されると共に、発熱ヒータ３０で加熱される。熱源ヒータ３１で加熱された空気は、送風機３２により、送風パイプ３３、上部送風経路２９を通って、噴出し口４１から内容器１３内に噴出され、生ごみの表面を加熱する。加熱された生ごみから発生した蒸気を含む空気は、連通穴部３４を通って、凝縮装置３５に至り、そこで空気に含まれた蒸気が凝縮されて液体になり、接続管４２を通して外部に排出される。また、凝縮装置３５で蒸気分が除去された空気は、脱臭触媒３６に至り、そこで臭い分が除去され、臭気の少ない空気が外部に排出される。内容器１３内の生ごみが乾燥し終えたら、ハンドル５２を持って内容器１３を外容器１０から取り出し、廃棄する。
【００３３】
以上のように、本実施の形態によれば、流し台１のシンク４後方の天面５に配設し、着脱自在とした内容器１３において、その内容器１３の下方を加熱する加熱手段となる発熱ヒータ３０を設けたことにより、上部からの吹きつける乾燥温風の不足を補う加熱作用により、乾燥処理時間の拡大を防止し課題を解決するものとなる。本構成における効果は、処理時間の短縮による流し台シンク一体型生ごみ処理機の乾燥性能を向上させるがことができる。
【００３４】
（実施の形態２）
図４は、本発明の第２の実施の形態における流し台シンク一体型生ごみ処理機の内容器断面図と斜視図、図５は、同内容器の取付け部の断面図である。なお、上記実施の形態１における流し台シンク一体型生ごみ処理機と同一部分については、同一符号を付してその説明を省略する。
【００３５】
本実施の形態における流し台シンク一体型生ごみ処理機は、図４、５に示すように、内容器１３の上部に設けた開口部６を、シンク４の小スペース部への収納配慮と、ごみ投入での使用性を確保するため、開口寸法□１５０ｍｍ×１００ｍｍの角型断面に形成し、さらに一日分のごみ処理容量を確保するため下方に延長した縦長構成としている。さらに、内容器１３を、上部を角柱形状の角柱体５１とし、傾斜部５０を経て、略円筒形状の下部円筒体５４で構成したものであり、特に、下部円筒体５４の高さを、内容器１３の下部に設けられた攪拌刃１６の高さと略同一以上に設定している。また、本実施の形態では、加熱手段である発熱ヒータ３０を、下部円筒体５４に設けている。
【００３６】
以上のように構成された本実施の形態における流し台シンク一体型生ごみ処理機の動作と作用は、以下の通りである。
【００３７】
内容器１３の下部の下部円筒体５４を円筒状に形成することにより、攪拌作用の受けない角部の排除により生ごみのこびりつき防止が図られると共に、攪拌効率の改善による乾燥性能の向上が得られる。また、下部円筒体５４の高さを、攪拌刃１６と同一以上の高さにすることにより、確実な生ごみのこびりつき対策が実現する。
【００３８】
また、傾斜部５０と下方に発熱ヒータ３０を設けることにより、形状変化部に生じる段差部の排除で投入された生ごみの落下移動が引っかかりなくスムーズに行え、また、攪拌範囲をすべて下部円筒体５４に構成し、発熱ヒータ３０を設けるため、攪拌効率の向上ならびに、加熱作用の向上により乾燥性能の向上が得られるものとなる。
【産業上の利用可能性】
【００３９】
以上のように、本発明にかかる流し台シンク一体型生ごみ処理機は、加熱手段の配置及び内容器形状の改善により、乾燥性能向上が可能となるので、小型高速乾燥処理機等の用途にも適用できる。
【図面の簡単な説明】
【００４０】
【図１】（ａ）本発明の第１の実施の形態における流し台シンク一体型生ごみ処理機の外観斜視図、（ｂ）同流し台シンク一体型生ごみ処理機の要部斜視図
【図２】同流し台シンク一体型生ごみ処理機の要部断面図
【図３】同流し台シンク一体型生ごみ処理機の内容器の取り付け部の断面図
【図４】（ａ）本発明の第２の実施の形態における流し台シンク一体型生ごみ処理機の内容器の断面図、（ｂ）同内容器の斜視図
【図５】同内容器の取付け部の断面図
【図６】（ａ）従来の流し台シンク一体型生ごみ処理機の外観斜視図、（ｂ）同流し台シンク一体型生ごみ処理機の要部斜視図
【図７】（ａ）同流し台シンク一体型生ごみ処理機の要部断面図、（ｂ）同流し台シンク一体型生ごみ処理機の内容器の斜視図
【符号の説明】
【００４１】
１    流し台
２    排水口
３    蛇口
４    シンク
５    天面
６    開口部
７    投入口蓋
８    回動軸
９    生ごみ処理機
１０  外容器
１１  フランジ部
１２  淵部
１３  内容器
１４  回動軸
１５  連結軸
１６  攪拌刃（攪拌手段）
１７  回転軸
１８  連結部
２０  温風発生手段
２１  脱臭排気手段
２２  駆動モーター
２３  締結部
３０  発熱ヒータ（加熱手段）
３３  送風パイプ
３４  連通穴部
３５  凝縮装置
３６  脱臭触媒
３７  経路
３９  磁石スイッチ
５０  傾斜部
５１  低段差部
５１  角柱体
【図１】
2010142673.tif 000003
【図２】
2010142673.tif 000004
【図３】
2010142673.tif 000005
【図４】
2010142673.tif 000006
【図５】
2010142673.tif 000007
【図６】
2010142673.tif 000008
【図７】
2010142673.tif 000009